(57)【要約】【課題】サブダイヤルのデザイン性を向上でき、かつ、受信性能の低下を防止できる電子時計を提供すること。【解決手段】電子時計１は、外装ケース３０と、アンテナ体と、指針２１〜２３によって情報を指示するメインダイヤル１１と、指針７１によって情報を指示するサブダイヤルであるインジケータ表示部７０とを備える。アンテナ体は、給電素子１１３と、給電素子１１３に導通する給電部とを備える。メインダイヤル１１は、サブダイヤルの配置が禁止される禁止領域５００を備える。禁止領域５００は、給電点１１４Ａと指針軸２５とを結ぶ線分Ｌ１と、給電素子１１３で電流分布が最大値の１／２となる半減位置１１３Ａと指針軸２５とを結ぶ線分Ｌ２と、給電点１１４Ａと半減位置１１３Ａとを結ぶ給電素子１１３に沿った線とで囲まれた領域である。【選択図】図２
2017122659.tif 000002
【特許請求の範囲】
【請求項１】
外装ケースと、
前記外装ケース内に収納されたアンテナ体と、
メインダイヤル用の指針によって情報を指示するメインダイヤルと、
前記メインダイヤルの表面に設けられて、サブダイヤル用の指針によって情報を指示するサブダイヤルと、を備える電子時計であって、
前記アンテナ体は、
給電素子と、
前記給電素子に導通する給電部とを備え、
前記メインダイヤルには、前記サブダイヤルの配置が禁止される禁止領域が設定され、
前記禁止領域は、前記メインダイヤルを時計表面側から見た平面視において、
前記給電素子と前記給電部とが導通する給電点と、前記メインダイヤル用の指針の軸とを結ぶ線分と、
前記給電素子において電流分布が最大値の１／２となる半減位置と、前記メインダイヤル用の指針の軸とを結ぶ線分と、
前記給電点と、前記半減位置とを結ぶ前記給電素子に沿った線と、
で囲まれた領域であることを特徴とする電子時計。
【請求項２】
請求項１に記載の電子時計において、
前記給電素子は、前記アンテナ体で受信する電波の１／４波長の長さ寸法を有し、
前記半減位置は、前記給電点から前記給電素子の長さの２／３の位置であることを特徴とする電子時計。
【請求項３】
請求項１または請求項２に記載の電子時計において、
前記アンテナ体は、
前記メインダイヤルの外周に沿って配置される環状の誘電体基材と、
前記誘電体基材の表面に形成された前記給電素子とを備え、
前記メインダイヤル用の指針の軸は、前記メインダイヤルの平面中心位置に配置され、
前記禁止領域は、
前記給電点と、前記メインダイヤルの平面中心位置とを結ぶ線分と、
前記半減位置と、前記メインダイヤルの平面中心位置とを結ぶ線分と、
前記給電点と、前記半減位置とを結ぶ円弧と、
で囲まれた扇形の領域であることを特徴とする電子時計。
【請求項４】
請求項１から請求項３のいずれか一項に記載の電子時計において、
前記サブダイヤルは、前記サブダイヤル用の指針で指示される目盛部である円弧状の導電性装飾部材を備え、
前記導電性装飾部材は、前記サブダイヤル用の指針の軸と前記給電点とを結ぶ線分に重ならないように配置されている
ことを特徴とする電子時計。
【請求項５】
請求項１から請求項４のいずれか一項に記載の電子時計において、
前記給電素子は、
前記メインダイヤルにおいて、２時の目盛位置から時計回り方向で１０時の目盛位置までの範囲に配置されている
ことを特徴とする電子時計。
【請求項６】
請求項１から請求項５のいずれか一項に記載の電子時計において、
前記サブダイヤルは、小時計、インジケーター、曜日、クロノグラフ、小秒、午前午後のうちのすくなくとも一つの情報を表示する
ことを特徴とする電子時計。
【発明の詳細な説明】
【技術分野】
【０００１】
本発明は、アンテナを内蔵する電子時計に関する。
【背景技術】
【０００２】
ＧＰＳ（Global Positioning System）衛星等の位置情報衛星から電波を受信して表示時刻を修正する電子時計として、外装ケース内に環状のアンテナ体を収納した腕時計タイプの電子時計が開発されている（例えば特許文献１参照）。
このような腕時計では、限られたスペースで良好な機能を確保できるアンテナが要求される。このため、特許文献１では、アンテナ体が平面視で二次電池に重ならない位置に設けることで、アンテナ体が二次電池に重なる位置に設けられる場合に比べてアンテナ体の受信性能を向上させていた。
【先行技術文献】
【特許文献】
【０００３】
【特許文献１】特開２０１４−６２８４３号公報
【発明の概要】
【発明が解決しようとする課題】
【０００４】
ところで、電子時計では、デザイン性の向上を図るために、文字板上にサブダイヤルを配置する場合に、金属製の目盛板を用いることが望まれている。
しかしながら、前記アンテナ体が内蔵された電子時計では、アンテナ体の近くに配置される金属部品が増えると、アンテナ体での受信性能に影響を及ぼし、受信性能を低下させるという課題がある。
したがって、サブダイヤルに金属製の目盛板を用いてデザイン性を向上させつつ、前記金属製の目盛板がアンテナ体での受信性能を低下させない電子時計が求められている。
【０００５】
本発明の目的は、サブダイヤルのデザイン性を向上でき、かつ、受信性能の低下を防止できる電子時計を提供することにある。
【課題を解決するための手段】
【０００６】
本発明の電子時計は、外装ケースと、前記外装ケース内に収納されたアンテナ体と、メインダイヤル用の指針によって情報を指示するメインダイヤルと、前記メインダイヤルの表面に設けられて、サブダイヤル用の指針によって情報を指示するサブダイヤルと、を備える電子時計であって、前記アンテナ体は、給電素子と、前記給電素子に導通する給電部とを備え、前記メインダイヤルには、前記サブダイヤルの配置が禁止される禁止領域が設定され、前記禁止領域は、前記メインダイヤルを時計表面側から見た平面視において、前記給電素子と前記給電部とが導通する給電点と、前記メインダイヤル用の指針の軸とを結ぶ線分と、前記給電素子において電流分布が最大値の１／２となる半減位置と、前記メインダイヤル用の指針の軸とを結ぶ線分と、前記給電点と、前記半減位置とを結ぶ前記給電素子に沿った線と、で囲まれた領域であることを特徴とする。
【０００７】
本発明の電子時計によれば、前記メインダイヤルにおいて、サブダイヤルの配置が禁止される禁止領域を設定し、禁止領域は、メインダイヤル用の指針の軸と、アンテナ体の給電点と、前記給電素子における電流分布の半減位置とで囲まれた領域に設定している。このため、給電点から半減位置までの電流分布が高い領域にサブダイヤルが配置されることがない。このため、サブダイヤルの目盛板として、金属板などの導電性装飾部材を用いた場合に、導電性装飾部材が受信に影響して受信性能が低下することを防止できる。さらに、サブダイヤルに金属板などの導電性装飾部材を用いることができるため、サブダイヤルのデザイン性を向上できる。したがって、受信性能とサブダイヤルのデザイン性とを両立した電子時計を提供できる。
【０００８】
本発明の電子時計において、前記給電素子は、前記アンテナ体で受信する電波の１／４波長の長さ寸法を有し、前記半減位置は、前記給電点から前記給電素子の長さの２／３の位置であることが好ましい。
【０００９】
給電素子を、受信電波の１／４波長の長さ寸法に設定すれば、受信性能を維持しながらアンテナ体を小型化できる。また、給電素子が受信電波の１／４波長の長さであるため、衛星信号受信時の電流分布は、正弦波となり、給電点が最も高く、給電点から離れた給電素子の他端部で最も低くなる。このため、電流分布が最も高い最大値の１／２となる半減位置は、給電点から１／６波長部分、つまり給電素子の長さの２／３の位置に設定できる。したがって、時計の設計者は禁止領域を容易に把握でき、メインダイヤルにおけるサブダイヤルの配置位置を容易に設計できる。
【００１０】
本発明の電子時計において、前記アンテナ体は、前記メインダイヤルの外周に沿って配置される環状の誘電体基材と、前記誘電体基材の表面に形成された前記給電素子とを備え、前記メインダイヤル用の指針の軸は、前記メインダイヤルの平面中心位置に配置され、前記禁止領域は、前記給電点と、前記メインダイヤルの平面中心位置とを結ぶ線分と、前記半減位置と、前記メインダイヤルの平面中心位置とを結ぶ線分と、前記給電点と、前記半減位置とを結ぶ円弧と、で囲まれた扇形の領域であることが好ましい。
【００１１】
本発明によれば、アンテナ体は誘電体基材を備えているので、受信する電波の波長を短縮することができる。したがって、腕時計のような小型の電子時計において、ＧＰＳ衛星などの位置情報衛星からの電波を受信することができる。
また、アンテナ体がメインダイヤルの外周に沿って配置され、前記禁止領域を、前記メインダイヤルの平面中心位置および前記半減位置を結ぶ線分と、前記メインダイヤルの平面中心位置および前記給電点を結ぶ線分と、前記給電点および前記半減位置を結ぶ円弧とで囲まれる扇形の領域に設定しているので、時計の設計者は禁止領域を容易に把握できる。このため、メインダイヤルにおけるサブダイヤルの配置位置を容易に設計できる。
【００１２】
本発明の電子時計において、前記サブダイヤルは、前記サブダイヤル用の指針で指示される目盛部である円弧状の導電性装飾部材を備え、前記導電性装飾部材は、前記サブダイヤル用の指針の軸と前記給電点とを結ぶ線分に重ならないように配置されていることが好ましい。
【００１３】
本発明によれば、円弧状の導電性装飾部材を、サブダイヤル用の指針の軸と給電点とを結ぶ線分に重ならないように配置しているので、電流分布が高い給電点に対して導電性装飾部材を離して配置できる。このため、電波受信における前記導電性装飾部材の影響を軽減できる。
【００１４】
本発明の電子時計において、前記給電素子は、前記メインダイヤルにおいて、２時の目盛位置から時計回り方向で１０時の目盛位置までの範囲に配置されていることが好ましい。
【００１５】
本発明によれば、給電素子は、前記メインダイヤルにおいて、２時の目盛位置から６時の目盛位置を経由して１０時の目盛位置までの範囲（中心角が２４０度の範囲）に配置され、１２時の目盛位置側には配置されない。このため、メインダイヤル用の指針の軸と、１２時の目盛との間に、金属製装飾部品で構成したロゴを配置しても、そのロゴと給電素子とを離して配置できる。したがって、時計ブランド名の表示などに利用されるロゴのデザイン性を向上でき、かつ、前記ロゴによる受信性能の低下を防止できる。
【００１６】
本発明の電子時計において、前記サブダイヤルは、小時計、インジケーター、曜日、クロノグラフ、小秒、午前午後のうちのすくなくとも一つの情報を表示することが好ましい。
【００１７】
本発明によれば、前記サブダイヤルとして、小時計、インジケーター、曜日、クロノグラフ、小秒、午前午後のうちのすくなくとも一つの情報を表示するものを設けることで、各種の情報をサブダイヤルで表示することができる。
【図面の簡単な説明】
【００１８】
【図１】本発明の第１実施形態に係る電子時計を示す概略図である。
【図２】第１実施形態における電子時計の正面図である。
【図３】第１実施形態における電子時計の断面図である。
【図４】第１実施形態のアンテナ体を示す説明図である。
【図５】第１実施形態のアンテナ体の給電素子における電流分布を示すグラフである。
【図６】第２実施形態における電子時計の正面図である。
【図７】本発明の変形例における電子時計の正面図である。
【図８】本発明の変形例のアンテナ体の給電素子における電流分布を示すグラフである。
【発明を実施するための形態】
【００１９】
以下、本発明の具体的な実施形態を図面に基づいて説明する。
［第１実施形態］
図１は、第１実施形態の電子時計１を示す概略図である。
電子機器としての電子時計１は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出して取得するように構成されている。なお、ＧＰＳ衛星１００は、位置情報衛星の一例であり、地球の上空に複数存在している。現在は約３０個のＧＰＳ衛星１００が周回している。
【００２０】
［電子時計の概略構成］
電子時計１は、各種情報を表示可能なインジケーターを備えた時計である。
図２は、電子時計１の正面図であり、図３は、電子時計１の概略を示す断面図である。
電子時計１は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１０が配置されている。
外装ケース３０の側面には、文字板１０の平面中心より、２時方向の位置にＡボタン５１が設けられ、４時方向の位置にＢボタン５２が設けられ、３時方向の位置にリューズ５５が設けられている。
【００２１】
電子時計１は、図３に示すように、金属製の外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１０と、指針２１，２２，２３，７１と、各指針およびカレンダー車１６を駆動する駆動機構１４０などが備えられている。
【００２２】
ダイヤルリング４０は、外周端が、ベゼル３２の内周面に接触しているとともに、一面がカバーガラス３３と並行している平板部分と、内周端が文字板１０に接触するように、文字板１０側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面とによりベゼル３２の内周に沿って連続する収納空間が形成されており、この収納空間内には、リング状のアンテナ体１１０が収納されている。
【００２３】
文字板１０は、プラスチックなどの光透過性の材料で形成され、カバーガラス３３との間に各指針を備え、ダイヤルリング４０の内側に配置されている。
文字板１０と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。文字板１０、ソーラーパネル１３５および地板１２５には、指針２１，２２，２３の軸（指針軸）２５と、指針７１の軸（指針軸）７５とが貫通する穴が形成されているとともに、カレンダー車１６の日付を表示する開口であるカレンダー小窓１５が形成されている。
【００２４】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５、７５を回転させることにより各指針を駆動する。
駆動機構１４０は、具体的には、第１〜第４駆動機構を備える。第１駆動機構は指針２２および指針２３を駆動し、第２駆動機構は指針２１を駆動し、第３駆動機構は指針７１を駆動し、第４駆動機構はカレンダー車１６を駆動する。
【００２５】
回路基板１２０は、受信装置（ＧＰＳモジュール）４００、制御装置３００、記憶装置２００を備えている。また、この回路基板１２０とアンテナ体１１０とは、アンテナ接続ピン１１５を用い接続されている。このアンテナ接続ピン１１５は、アンテナ体１１０に対して給電を行うため、給電端子として機能する。
受信装置４００、制御装置３００、記憶装置２００が設けられた回路基板１２０の裏蓋３４側（裏面側）には、これらの回路部品を覆うための回路押さえ１２２が設けられている。また、リチウムイオン電池などの二次電池１３０が、地板１２５と裏蓋３４との間に設けられている。二次電池１３０は、ソーラーパネル１３５が発電した電力で充電される。
【００２６】
［電子時計の表示機構］
指針２１（秒針）、指針２２（分針）、指針２３（時針）は、文字板１０の平面中心に配置された指針軸２５に取り付けられている。なお、指針軸２５は、各指針２１，２２，２３が取り付けられる３つの指針軸（回転軸）で構成されている。
文字板１０の外周部を囲むダイヤルリング４０の傾斜面には、図２に示すように、内周を６０分割にする目盛が表記されている。この目盛を用いて、指針２１は「秒」を表示し、指針２２は「分」を表示し、指針２３は「時」を表示する。
したがって、文字板１０およびダイヤルリング４０の傾斜面によって現時刻を表示するメインダイヤル１１が構成されている。指針２１〜２３は、メインダイヤル１１の目盛を指示して現時刻を表示するメインダイヤル用の指針である。
【００２７】
また、ダイヤルリング４０には、１２分位置にアルファベットの「Ｙ」と、１８分位置にアルファベットの「Ｎ」の英字が表記されている。この英字は、ＧＰＳ衛星１００から受信した衛星信号に基づく各種情報の受信（取得）結果（Ｙ：受信（取得）成功、Ｎ：受信（取得）失敗）を示す。指針２１は、「Ｙ」および「Ｎ」のいずれか一方を指示し、衛星信号の受信結果を表示する。
【００２８】
文字板１０、つまりメインダイヤル１１の表面には、サブダイヤルとしてインジケータ表示部７０が設けられている。サブダイヤル用の指針７１（モード針）は、文字板１０の平面中心から８時方向の位置に設けられた指針軸７５に取り付けられている。インジケータ表示部７０は、メインダイヤル１１における略７時から略９時の範囲に配置されている。
インジケータ表示部７０は、指針７１の回転領域の外周側に配置されて、各種情報の表示に用いられる目盛板７２を備えている。目盛板７２は、金属製の帯状部材で構成された金属製装飾部品である。指針７１は、一定の角度範囲で駆動し、１回転しないように設定されている。このため、目盛板７２は、指針７１の駆動範囲に応じて円弧状に形成されている。
以下、目盛板７２の表記について説明するが、「ｎ時方向」（ｎは任意の自然数）とあるのは、指針７１の指針軸７５から目盛板７２をみたときの方向である。
目盛板７２において、指針軸７５から見て６時方向から７時方向の範囲には、「ＤＳＴ」の英字と「・（中点）」の記号が表記されている。ＤＳＴ（daylight saving time）は夏時間を意味する。指針７１は、これらの英字と記号を指示することで、夏時間（ＤＳＴ：夏時間ＯＮ、・：夏時間ＯＦＦ）の設定を表示する。
【００２９】
目盛板７２において、８時方向から９時方向までの範囲には、円周に沿って、９時方向の基端が太く、８時方向の先端が細い三日月鎌状の記号が表記されている。この記号は二次電池１３０（図３参照）のパワーインジケーターであり、電池残量に応じた位置を指針７１が指示することで電池残量が表示される。なお、指針７１は、通常時、パワーインジケーターを指示している。
【００３０】
目盛板７２の１０時方向の範囲には、飛行機形状の記号が表記されている。この記号は、機内モードを表す。航空機の離着陸時は、航空法によって衛星信号の受信が禁止されている。指針７１は、飛行機の記号を指示することで、機内モードに設定され、受信が行われないことを表示する。
【００３１】
目盛板７２の１１時方向から１２時方向までの範囲には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、現在位置である位置情報を算出し、内部時刻と後述するタイムゾーンデータとが修正されること（測位モード）を意味する。
【００３２】
カレンダー小窓１５は、文字板１０を矩形状に開口した開口部に設けられており、開口部からカレンダー車１６に印刷された数字が視認可能となっている。カレンダー車１６は、開口部から数字を視認させることで、メインダイヤル１１で表示される時刻に対応した年月日の「日」を表示する。
【００３３】
［アンテナ体］
次に、図４を参照してアンテナ体１１０について説明する。
図４（Ａ）はアンテナ体１１０の斜視図であり、図４（Ｂ）はアンテナ体１１０の平面図である。図４（Ｃ）は図４（Ｂ）のＣ−Ｃ線に沿った断面図である。
アンテナ体１１０は、リング状の誘電体基材１１１を備え、その表面に無給電素子１１２および給電素子１１３が形成されている。
【００３４】
誘電体基材１１１は、電波の波長を短縮させる機能を有する。すなわち、ＧＰＳ衛星１００から送信される衛星信号は、周波数が１５７５．４２ＭＨｚｍ、波長が約１９ｃｍである円偏波である。このような衛星信号の電波をループアンテナで受信するためには、無給電素子１１２の周囲長が衛星信号の電波の１．０波長〜１．４波長分だけ必要となる。これに対して、誘電体基材１１１上に無給電素子１１２を設置することで、誘電体基材１１１により衛星信号の電波の波長を短縮させ、短縮させた波長を無給電素子１１２で受信させることが可能となる。ここで、比誘電率εｒの誘電体基材１１１では、電波の波長短縮率は１／（εｒ）1/2となる。このため、比誘電率εｒの値を大きくすれば、波長はより短縮されることとなる。一方、比誘電率εｒの高い誘電体を用いると周波数帯域幅が狭くなり急峻な特性となり周波数調整が困難となったり、腕に装着した場合に周波数ズレで特性が劣化してしまうおそれがある。したがって、波長１９ｃｍの衛星信号の電波を、例えば直径約３ｃｍ（周囲長約９．４ｃｍ）のループアンテナ型の無給電素子１１２にて受信させる場合、誘電体基材１１１の比誘電率εｒは、２０以下、好ましくは４〜１０に設定されていればよい。このため、誘電体基材１１１の材質には、例えばアルミナ（εｒ＝８．５）を主成分としたセラミックスや、マイカを成分としたセラミックスである、いわゆるマイカレックス（εｒ＝６．５〜９．５）、ガラス（εｒ＝５．４〜９．９）、ダイヤモンド（εｒ＝５．６８）などを用いることができる。
このような誘電体基材１１１を用いることで、一般的な腕時計に組み込み可能なアンテナ体１１０とすることができる。
【００３５】
誘電体基材１１１は、図４（Ｃ）に示すように、断面五角形の形状とされ、上面Ｔ１、外周面Ｔ２、底面Ｔ３、傾斜面ＴＰ１、傾斜面ＴＰ２を有する。誘電体基材１１１の上面Ｔ１には、無給電素子１１２が形成され、傾斜面ＴＰ１には、給電素子１１３が形成されている。誘電体基材１１１の傾斜面ＴＰ１、傾斜面ＴＰ２、底面Ｔ３には、給電部１１４が形成されている。給電素子１１３は、給電部１１４を介して、給電端子であるアンテナ接続ピン１１５に電気的に接続されている。これにより、アンテナ体１１０の給電素子１１３には、アンテナ接続ピン１１５を介して所定の電位が供給される。一方、無給電素子１１２に対しては、アンテナ体１１０の外部から電位が供給されることはない。
【００３６】
無給電素子１１２は、誘電体基材１１１の上面Ｔ１に、銅や銀などの導電性の金属素子を印刷したり、銀や銅などの導電性の金属板を貼り付けたりすることで、誘電体基材１１１に線状に一体的に形成される。なお、無給電素子１１２は、誘電体基材１１１の表面に無電解めっきでパターン形成することで形成してもよい。
無給電素子１１２は、図４（Ｂ）に示すように、平面形状が略円環状に形成され、周方向の一部に無給電素子１１２が連続していないスプリット部１１２Ａを有し、平面Ｃ字形に形成されている。
【００３７】
給電素子１１３は、周方向の長さが、誘電体基材１１１で短縮された波長λの１／４となるように設定されている。なお、本実施形態において、給電素子１１３は、インピーダンスを整合するために長さを適宜調整するため、前記周方向の長さがλ／４に対して短くなったり長くなったりする場合がある。このため、本発明において、給電素子１１３が、誘電体基材１１１で短縮された波長λの１／４の長さを有するとは、λ／４に一致するものに限定されず、λ／４の９０〜１１０％の長さなど、一定の範囲のものも含まれる。この給電素子１１３の長さは、前記インピーダンスを調整して受信性能を確保できるように設定すればよい。
また、誘電体基材１１１や無給電素子１１２の周方向の長さが約１波長であるため、給電素子１１３の長さは、誘電体基材１１１の円周の略１／４の長さである。
給電素子１１３は、無給電素子１１２と一定の間隔を保つように、略円弧状に形成され、無給電素子１１２に沿って配置されている。この無給電素子１１２および給電素子１１３の間隔は、誘電体基材１１１での波長短縮後の波長λの０．０１倍程度に設定すればよい。
これらの２つの無給電素子１１２及び給電素子１１３は、互いに電磁的に結合し、電磁波を電流に変換するアンテナ素子として機能する。また、給電素子１１３の長さを適宜設定することで、アンテナ体１１０に電気的に接続された回路との間のインピーダンスを整合することが可能となる。
【００３８】
給電部１１４は、給電素子１１３の一端側に導通されている。本実施形態では、給電素子１１３は文字板１０の周囲に沿って配置されており、給電部１１４は６時位置に配置されている。なお、本実施形態では、アンテナ体１１０が受信するのは、右旋円偏波であるＧＰＳ衛星信号であるため、給電素子１１３は、図２に示すように、時計正面から見て給電部１１４から反時計回りに伸びており、具体的には６時位置から３時位置に渡って配置されている。
【００３９】
また、誘電体基材１１１の周方向の位置において、給電素子１１３が配置される範囲内に、無給電素子１１２のスプリット部１１２Ａが配置されている。例えば、給電部１１４およびスプリット部１１２Ａと文字板１０の中心（指針軸２５の配置位置）とを結ぶ各線分の交差角度（中心角）は４０〜５０°程度の範囲内に設定されている。
【００４０】
前記給電部１１４の誘電体基材１１１の底面Ｔ３に形成された部分には、前記アンテナ接続ピン１１５が当接して導通している。そして、給電部１１４および給電素子１１３が導通する箇所が給電点１１４Ａとなる。この給電点１１４Ａは、給電素子１１３において、１箇所のみ設けられている。
【００４１】
このような給電素子１１３における電流分布について図５を参照して説明する。
給電素子１１３が１／４波長の長さを有するため、衛星信号受信時の電流分布は、正弦波となり、給電点１１４Ａが最も高く、給電点１１４Ａから離れた給電素子１１３の他端部１１３Ｂで最も低くなる。このため、電流分布が最も高い最大値の１／２となる半減位置１１３Ａは、給電点１１４Ａから１／６波長部分、つまり給電素子１１３の長さの２／３の位置である。
ここで、給電素子１１３は、中心角が約９０度の円弧状に配置されているため、図２に示すように、給電点１１４Ａおよび指針軸２５を結ぶ線分Ｌ１と、半減位置１１３Ａと指針軸２５とを結ぶ線分Ｌ２との交差角度（中心角θ１）は約６０度となる。
そして、メインダイヤル１１において、前記線分Ｌ１，Ｌ２と、給電点１１４Ａおよび半減位置１１３Ａを結ぶ給電素子１１３に沿った線（円弧）とで囲まれた領域によって、平面扇形の禁止領域５００が設定されている。
【００４２】
禁止領域５００は、給電素子１１３において、電流分布が最大値の１／２以上と高い部分の近くに形成されることになる。この電流分布が高い領域には、できるだけ金属部品を配置しないほうが受信性能を向上できる。
そこで、本実施形態では、メインダイヤル１１の表面において、禁止領域５００ではサブダイヤルの配置を禁止し、禁止領域５００以外の領域を配置領域６００とし、この配置領域６００にサブダイヤルを配置している。具体的には、サブダイヤルであるインジケータ表示部７０を、指針軸２５に対して約８時方向に配置し、インジケータ表示部７０が禁止領域５００に配置されないように設定している。
【００４３】
［第１実施形態の作用効果］
本実施形態によれば、アンテナ体１１０の給電素子１１３における電流分布が高くなる部分を基準に禁止領域５００を設定し、メインダイヤル１１においてサブダイヤルであるインジケータ表示部７０を禁止領域５００以外の配置領域６００に配置しているので、インジケータ表示部７０の目盛板７２を金属等の導電性装飾部材で構成した場合でも、目盛板７２によるアンテナ体１１０での受信性能の低下を防止できる。このため、受信性能の低下を防止しつつ、サブダイヤルである目盛板７２のデザイン性を向上できる。
【００４４】
さらに、禁止領域５００は、給電点１１４Ａ（給電部１１４）および半減位置１１３Ａ間の範囲に設定しているので、必要最小限の範囲に抑えることができる。このため、半減位置１１３Ａから給電素子１１３の他端部１１３Ｂの範囲にサブダイヤルを配置することもでき、サブダイヤルの配置自由度の制約を最小限に抑えることができる。
【００４５】
本実施形態では、給電素子１１３は、メインダイヤル１１において、６時位置から３時位置の範囲に設定しており、１２時位置の周囲には配置されていない。このため、指針軸２５とメインダイヤル１１の１２時の目盛（インデックス）との間に、時計ブランドのロゴを金属製の植字で構成して取り付けた場合でも、その金属製のロゴが給電素子１１３における受信性能を低下させることを防止できる。このため、ロゴのデザイン性を向上でき、高級感のある電子時計１を提供することができる。
【００４６】
目盛板７２は、円弧状に形成されており、指針軸７５と給電点１１４Ａとを結ぶ線分が前記目盛板７２に重ならないように配置されている。このため、目盛板７２をリング状に形成した場合に比べて、給電点１１４Ａから離して目盛板７２を配置でき、受信性能の低下をさらに防止できる。
【００４７】
［第２実施形態］
図６に示す第２実施形態の電子時計１Ａは、第１実施形態の電子時計１に対し、メインダイヤル１１上に設けられるサブダイヤルとして小時計８０が追加された点と、小時計８０の配置に伴いインジケータ表示部７０の配置位置が変更された点と、アンテナ体１１０の給電素子１１３の配置位置が変更された点が相違する。その他の構成は前記第１実施形態と同じであるため、説明を省略する。
【００４８】
電子時計１Ａは、メインダイヤル１１上に、サブダイヤルとしてインジケータ表示部７０および小時計８０の２つのサブダイヤルを配置している。インジケータ表示部７０は、指針軸２５に対して１０時から１１時の方向に配置され、小時計８０は、指針軸２５に対して６時の方向に配置されている。
インジケータ表示部７０は、第１実施形態と同じく、指針７１で指示される金属製の目盛板７２を備えている。
小時計８０は、２４時間表示の時計であり、指針（時針）８１および指針（分針）８２で指示される金属製の目盛リング８３を備える。したがって、電子時計１Ａでは、サブダイヤルの金属製装飾部品として、目盛板７２および目盛リング８３を備える。
また、電子時計１Ａは、小時計８０を備えるため、メインダイヤル１１および指針２１〜２３で、ローカルタイム（現地時刻）を表示し、サブダイヤルである小時計８０の目盛リング８３および指針８１，８２で、ホームタイムを表示できる。
【００４９】
アンテナ体１１０の給電素子１１３は、文字板１０の外周に沿って、メインダイヤル１１の３時位置から１２時位置の範囲に配置されている。アンテナ体１１０の給電点１１４Ａは、メインダイヤル１１の３時位置に配置され、禁止領域５００はメインダイヤル１１の３時位置および１時位置と、指針軸２５とを結ぶ平面扇形の領域で設定されている。
メインダイヤル１１において、前記禁止領域５００以外の配置領域６００に、インジケータ表示部７０と、小時計８０とが配置されている。特に小時計８０は、第１実施形態では配置できなかったメインダイヤル１１の６時位置に配置されている。
このため、インジケータ表示部７０および小時計８０は、メインダイヤル１１の配置領域６００に配置され、禁止領域５００には配置されていない。
【００５０】
［第２実施形態の作用効果］
第２実施形態の電子時計１Ａにおいても、前記第１実施形態の電子時計１と同じ作用効果を奏することができる。すなわち、サブダイヤルであるインジケータ表示部７０および小時計８０は、共に配置領域６００に配置され、禁止領域５００から離れた位置に配置されているので、目盛板７２や目盛リング８３として金属板や金属メッキ部品を用いることができる。したがって、アンテナ体１１０での受信性能の低下を防止でき、インジケータ表示部７０および小時計８０の意匠性も向上できる。
【００５１】
また、インジケータ表示部７０に加えて小時計８０を配置したので、２つのタイムゾーンの時刻を同時に確認する必要がある場合に適した電子時計１Ａを提供できる。
【００５２】
［他の実施形態］
なお、本発明は前述の各実施形態に限定されるものではなく、本発明の目的を達成できる範囲での変形、改良等は本発明に含まれるものである。
例えば、前記各実施形態では、給電素子として、周方向の長さが、誘電体基材１１１で短縮された波長λの１／４となるように設定された給電素子１１３を利用していたが、図７に示す電子時計１Ｂのように、周方向の長さが前記波長λの１／２となるように設定された給電素子１１３Ｌを利用してもよい。
給電素子１１３Ｌは、図８にも示すように、周方向における中間位置に給電点１１４Ａが設けられ、給電点１１４Ａから給電素子１１３Ｌの各端部１１３Ｃ，１１３Ｄとの間に、電流分布が最も高い最大値の１／２となる半減位置１１３Ｅ，１１３Ｆがそれぞれ設定される。各半減位置１１３Ｅ，１１３Ｆは、給電点１１４Ａから１／６波長部分、つまり給電点１１４Ａから端部１１３Ｃまでの長さの２／３の位置と、給電点１１４Ａから端部１１３Ｄまでの長さの２／３の位置とに設定される。
なお、給電素子１１３Ｌにおいても、インピーダンスを整合するために長さを適宜調整するため、前記周方向の長さがλ／２に対して短くなったり長くなったりする場合がある。このため、本発明において、給電素子１１３Ｌが、誘電体基材１１１で短縮された波長λの１／２の長さを有するとは、λ／２に一致するものに限定されず、λ／２の９０〜１１０％の長さなど、一定の範囲のものも含まれる。この給電素子１１３Ｌの長さは、前記インピーダンスを調整して受信性能を確保できるように設定すればよい。
【００５３】
図７に示すように、給電点１１４Ａおよび指針軸２５を結ぶ線分Ｌ１と、半減位置１１３Ｅと指針軸２５とを結ぶ線分Ｌ３と、給電点１１４Ａおよび半減位置１１３Ｅを結ぶ給電素子１１３Ｌに沿った線（円弧）とで囲まれた領域によって、平面扇形の禁止領域５００Ａが設定されている。
また、給電点１１４Ａおよび指針軸２５を結ぶ線分Ｌ１と、半減位置１１３Ｆと指針軸２５とを結ぶ線分Ｌ４と、給電点１１４Ａおよび半減位置１１３Ｆを結ぶ給電素子１１３Ｌに沿った線（円弧）とで囲まれた領域によって、平面扇形の禁止領域５００Ｂが設定されている。
これらの禁止領域５００Ａ，５００Ｂは隣接して配置されているので、電子時計１Ｂにおける禁止領域は、メインダイヤル１１において、前記線分Ｌ３，Ｌ４と、半減位置１１３Ｅおよび半減位置１１３Ｆを結ぶ給電素子１１３Ｌに沿った線（円弧）とで囲まれた領域５００Ｃによって設定されている。この禁止領域５００Ｃには、インジケータ表示部７０、小時計８０等のサブダイヤルの配置が禁止されている。
このような１／２波長の給電素子１１３Ｌを用いた場合は、１／４波長の給電素子１１３を用いた場合に比べて、さらに効率の良いアンテナを構成できる。
【００５４】
文字板１０に配置されるサブダイヤルとしては、インジケータ表示部７０や小時計８０に限定されず、曜日、クロノグラフ、小秒、午前午後（ＡＭ／ＰＭ）などの情報を表示するものでもよい。この際、１つのサブダイヤルで、２つ以上の情報を表示してもよい。例えば、目盛リングを有するサブダイヤルにおいて、左半分をインジケータ表示部７０と同じくインジケータ表示に用い、右半分を曜日表示に用い、指針は、通常は曜日を指示し、情報を表示する操作などが行われた場合にインジケーターを指示するように構成すればよい。
【００５５】
アンテナ体１１０における給電素子１１３の配置位置は、前記各実施形態に限定されず、サブダイヤルの数や配置位置などに応じて設定すればよい。
アンテナ体１１０は、無給電素子１１２および給電素子１１３を有するものに限定されず、無給電素子１１２を備えないアンテナ体でもよい。さらに、アンテナ体１１０は、電波の種類によっては、波長を短縮する必要が無い場合もあり、この場合には誘電体基材１１１を備えないアンテナ体でもよい。
【００５６】
アンテナ体１１０としては、平面円環状のものに限定されず、平面矩形枠状に形成されたものでもよい。この場合、禁止領域５００の平面形状は、三角形や四角形などに設定してもよい。
【００５７】
さらに、アンテナ体１１０は、ＧＰＳ衛星から送信される衛星信号を受信するものに限定されず、各種の位置情報衛星から送信される衛星信号を受信するものでもよい。例えば、アンテナ体１１０は、ＧＬＯＮＡＳＳ（ロシア）、Ｇａｌｉｌｅｏ（ヨーロッパ共同体）、Ｂｅｉｄｏｕ（中国）等の地球的衛星測位システム（ＧＮＳＳ：Global Navigation Satellite System）の位置情報衛星から送信される衛星信号を受信するものでもよいし、準天頂衛星システム（ＱＺＳＳ：Quasi-Zenith Satellite System；日本）、ＩＲＮＳＳ（Indian Regional Navigational Satellite System；インド）、ＤＯＲＩＳ（Doppler Orbitography and Radio-positioning Integrated by Satellite；フランス）、Ｂｅｉｄｏｕ（中国）等の地域的衛星測位システム（ＲＮＳＳ：Regional Navigation Satellite System）の位置情報衛星から送信される衛星信号を受信するものでもよい。
【００５８】
また、アンテナ体１１０は、衛星信号を受信するものに限定されず、例えば９００ＭＨｚ帯を用いる円偏波の無線タグの近距離無線信号を受信する装置として用いてもよい。
さらに、アンテナ体１１０は、信号の受信に用いられるものに限定されず、信号の送信に用いるものでもよいし、送受信機能を備えるものでもよい。
【００５９】
本発明の電子時計は、時刻表示機能を備えていればよく、ユーザーの腕に装着されて脈拍を計測する脈拍計や、ユーザーがランニングを行う際などにユーザーの腕に装着されて現在位置を計測して蓄積するＧＰＳロガー等のリスト型機器であってもよい。
【００６０】
本発明の電子機器は、腕時計（電子時計）に限定されず、例えば、携帯電話、登山等に用いられる携帯型のＧＰＳ受信機等、二次電池で駆動されて位置情報衛星から送信される衛星信号を受信する装置に広く利用できる。
【符号の説明】
【００６１】
１，１Ａ，１Ｂ…電子時計、１０…文字板、１１…メインダイヤル、２１…指針、２２…指針、２３…指針、２５…指針軸、３０…外装ケース、３１…ケース、３２…ベゼル、４０…ダイヤルリング、７０…インジケータ表示部、７１…指針、７２…目盛板、７５…指針軸、８０…小時計、８１…指針、８２…指針、８３…目盛リング、１１０…アンテナ体、１１１…誘電体基材、１１２…無給電素子、１１２Ａ…スプリット部、１１３，１１３Ｌ…給電素子、１１３Ａ，１１３Ｅ，１１３Ｆ…半減位置、１１３Ｂ…他端部、１１３Ｃ，１１３Ｄ…端部、１１４…給電部、１１４Ａ…給電点、１１５…アンテナ接続ピン、５００，５００Ａ，５００Ｂ，５００Ｃ…禁止領域、６００…配置領域、Ｌ１、Ｌ２，Ｌ３，Ｌ４…線分。
【図１】
2017122659.tif 000003
【図２】
2017122659.tif 000004
【図３】
2017122659.tif 000005
【図４】
2017122659.tif 000006
【図５】
2017122659.tif 000007
【図６】
2017122659.tif 000008
【図７】
2017122659.tif 000009
【図８】
2017122659.tif 000010